(57)【要約】【課題】  使い捨て皿において、食品を盛る度に容易にきれいで清潔な皿表面を得ること。【解決手段】  皿本体１と、皿本体１の表面に互いに剥離可能に積層状態で貼り付けられた複数の表面シート２と、を備えている。これにより、新たに食品を盛る際に、先に盛った食品のタレやカスが残った最上層の表面シート２を剥がすことで、きれいで清潔な次層の表面シート２又は皿本体１の表面が露出し、この上に新たな食品を盛ることができる。このように、積層された表面シート２の枚数分だけ、新たな皿表面を提供することが可能になる。【選択図】      図２
2006239178.tif 000002
【特許請求の範囲】
【請求項１】
皿本体と、
前記皿本体の表面に互いに剥離可能に積層状態で貼り付けられた複数の表面シートと、を備えていることを特徴とする使い捨て皿。
【請求項２】
請求項１に記載の使い捨て皿において、
前記表面シートが、前記皿本体の外縁部から半径方向外方に出た掴み代部を有していることを特徴とする使い捨て皿。
【請求項３】
請求項２に記載の使い捨て皿において、
前記掴み代部が、複数の前記表面シート毎に周方向又は半径方向にずれて配されていることを特徴とする使い捨て皿。
【請求項４】
請求項１から３のいずれか一項に記載の使い捨て皿において、
複数の前記表面シート同士の接着及び前記表面シートと前記皿本体との接着が、寒天又はゼラチンで行われていることを特徴とする使い捨て皿。
【請求項５】
請求項１から４のいずれか一項に記載の使い捨て皿において、
複数の前記表面シートに、上層から積層順に表面シート残数を示す番号が表示されていることを特徴とする使い捨て皿。
【請求項６】
請求項１から５のいずれか一項に記載の使い捨て皿において、
前記皿本体が、紙製であり、
前記表面シートが、樹脂フィルムであることを特徴とする使い捨て皿。
【請求項７】
請求項１から５のいずれか一項に記載の使い捨て皿において、
前記皿本体が、紙製であり、
前記表面シートが、耐水性及び耐油性加工が施された紙製であることを特徴とする使い捨て皿。
【発明の詳細な説明】
【技術分野】
【０００１】
本発明は、例えば、アウトドア、パーティ又は被災地等での使用に好適な使い捨て皿に関する。
【背景技術】
【０００２】
一般に、アウトドアでバーベキュー等を行う場合や立食形式のパーティ会場等で食事を行う場合、紙製、合成樹脂製又はアルミニウム箔製等の使い捨て皿が用いられている。これらの使い捨て皿において、合成樹脂製やアルミニウム箔製のものは、使用後の廃棄処理に手間がかかると共と製造コストが高いことから、近年では、低コストで廃棄が用意な紙製の使い捨て皿が多用されている。また、地震等の災害時に、食器類の多くが破損して使用不可となった場合等でも、被災者に対し、紙製等の使い捨て皿が多く提供されて使用されている。
【０００３】
これらの使い捨て皿としては、例えば特許文献１に記載されているような紙皿が一般に市販されている。また、他の例として、特許文献２には、木製薄板で形成された使い捨て容器が提案されている。
【０００４】
【特許文献１】特開平５−７７３４４号公報（段落番号００３４、図３）
【特許文献２】特開２００１−３１０４８号公報（特許請求の範囲、図１）
【発明の開示】
【発明が解決しようとする課題】
【０００５】
上記従来の技術には、以下の課題が残されている。
従来の紙製等の使い捨て皿では、料理品や食材等の食品が一度、皿上に盛られてこれを食した後、洗浄することなく別の食品を同じ皿上に盛ることが一般的である。このため、先に盛っていた食品のタレやカス等が残った皿上に、新たに別の食品を盛ることになり、新しく盛った食品の味に皿上に残っているタレやカス等の味が混ざってしまう不都合があった。これを避けるためには、別の新しい使い捨て皿に新たに食品を盛ればよいが、一人一人が同様に多数の使い捨て皿を使用することになり、食事終了後に廃棄皿による大量のゴミが発生してしまう。また、新しい食品を盛る度に、使い捨て皿を洗浄することも可能だが、非常に手間であると共に、紙製の使い捨て皿では、繰り返しの洗浄で水分を吸収してしまいその剛性を保持できなくなってしまう。また、アウトドアや災害時等では、水道等が利用できる環境にあるとは限らず、皿を洗浄することが困難であるため、どうしても多くの使い捨て皿を使用し、大量のゴミが発生する問題があった。
【０００６】
本発明は、前述の課題に鑑みてなされたもので、食品を盛る度に容易にきれいで清潔な皿表面を得ることができる使い捨て皿を提供することを目的とする。
【課題を解決するための手段】
【０００７】
本発明は、前記課題を解決するために以下の構成を採用した。すなわち、本発明の使い捨て皿は、皿本体と、前記皿本体の表面に互いに剥離可能に積層状態で貼り付けられた複数の表面シートと、を備えていることを特徴とする。
この使い捨て皿では、皿表面に剥離可能な複数の表面シートが貼り付けられているので、新たに食品を盛る際に、先に盛った食品のタレやカスが残った最上層の表面シートを剥がすことで、きれいで清潔な次層の表面シート又は皿本体の表面が露出し、この上に新たな食品を盛ることができる。
【０００８】
また、本発明の使い捨て皿は、前記表面シートが、前記皿本体の外縁部から半径方向外方に出た掴み代部を有していることを特徴とする。すなわち、この使い捨て皿では、表面シートに掴み代部が形成されているので、皿本体の外縁部からはみ出ている掴み代部を掴むことで、表面シートを容易に剥がすことができる。
【０００９】
さらに、本発明の使い捨て皿は、前記掴み代部が、複数の前記表面シート毎に周方向又は半径方向にずれて配されていることが好ましい。すなわち、この使い捨て皿では、各表面シートの掴み代部が、互いにずれているので、表面シートを一枚一枚容易に掴むことが可能になり、剥離作業がさらに容易になる。掴み代部のずらし方としては、掴み代部を互いに周方向にずらして各表面シートを貼り付ける方法、又は上層の表面シートほど大径の表面シートにすることで、掴み代部を上層ほど半径方向外方に出させてずらす方法が採用される。
【００１０】
また、本発明の使い捨て皿は、複数の前記表面シート同士の接着及び前記表面シートと前記皿本体との接着が、寒天又はゼラチンで行われていることを特徴とする。すなわち、この使い捨て皿では、表面シート同士の接着と表面シートと皿本体との接着を、自然材料である海藻等から得られる寒天又は動物の骨等から得られるゼラチンで行われているので、表面シートを剥がした後の皿表面に接着用の寒天又はゼラチンが残っていても、人体への影響がない。
【００１１】
また、本発明の使い捨て皿は、複数の前記表面シートに、上層から積層順に表面シート残数を示す番号が表示されていることを特徴とする。すなわち、この使い捨て皿では、各表面シートに積層順に表面シートの残数番号が表示されているので、残っている表面シート数を容易に把握することができる。
【００１２】
また、本発明の使い捨て皿は、前記皿本体が、紙製であり、前記表面シートが、樹脂フィルムであることを特徴とする。すなわち、この使い捨て皿では、紙製の皿本体と、樹脂フィルム（例えば、いわゆるビニール等）の表面シートと、で構成されているので、安価でかつ大量生産が容易である。また、積層状態の各表面シートが樹脂フィルムであるので、互いに局所的な熱圧着を行うことで、接着剤を用いずに互いに容易に剥離可能に接着させることができる。
【００１３】
また、本発明の使い捨て皿は、前記皿本体が、紙製であり、前記表面シートが、耐水性及び耐油性加工が施された紙製であることを特徴とする。すなわち、この使い捨て皿では、皿本体及び表面シートの両方が、同じ紙製であるため、安価でかつ大量生産が容易であると共に、ゴミとして廃棄する際に分別の必要がない。なお、表面シートには、耐水性及び耐油性加工が施されているので、下層の表面シートや皿本体に食品のタレや油が浸み込むことを防止することができる。
【発明の効果】
【００１４】
本発明によれば、以下の効果を奏する。
すなわち、本発明に係る使い捨て皿によれば、皿表面に剥離可能な複数の表面シートが貼り付けられているので、表面シートを剥がす度に、きれいで清潔な皿表面を提供することができ、全表面シートを使い切るまで何度も良好な皿表面状態で使用することができる。したがって、一枚の使い捨て皿で、多種多様な食品をきれいな皿表面に新たに盛ることができると共に、無駄な廃棄皿のゴミを多量に発生させることがなく、快適に使用後の処理が可能になる。特に、本発明の使い捨て皿は、アウトドアやパーティ等での使用にとどまらず、災害時等において、緊急用食器皿としても、非常に好適である。
【発明を実施するための最良の形態】
【００１５】
以下、本発明に係る使い捨て皿の第１実施形態を、図１から図３を参照しながら説明する。
【００１６】
本実施形態の使い捨て皿は、図１から図３に示すように、紙製の皿本体１と、皿本体１の表面に互いに剥離可能に積層状態で貼り付けられた複数の表面シート２と、を備えている。なお、本実施形態では、３枚の表面シート２が積層されて貼り付けられている。
上記表面シート２は、塩化ビニル樹脂（いわゆるビニール）等の樹脂フィルムで形成された透明ビニールシートであり、皿本体１よりも若干大径の略円形とされている。この表面シート２は、若干の伸縮性を有し、皿本体１の表面に密着状態に貼り付けられている。
【００１７】
なお、上記皿本体１は、その表面に簡易な模様が描かれており、透明な表面シート２を介して当該模様が見えるようになっている。また、皿本体１は、表面にパラフィン加工等の耐水性及び耐油性加工が施されている。また、皿本体１の表面に、コーティング処理等で剥離不可能にフィルムシートを接着しておいても構わない。
【００１８】
また、各表面シート２は、互いに局所的に又は全体的に塗られた寒天又はゼラチン（図示略）で接着されている。また、最下層の表面シート２は、局所的に又は全体的に塗られた寒天又はゼラチン（図示略）で皿本体１の表面に接着されている。
さらに、各表面シート２は、皿本体１の外縁部から半径方向外方に出た掴み代部３を有している。この掴み代部３には、上層から積層順に表面シート２の残数を示す番号が表示されている残数表示部４が設けられている。
【００１９】
すなわち、最上層の表面シート２には、残数「３」が表示されている残数表示部４が設けられ、次層の表面シート２には、残数「２」が表示されている残数表示部４が設けられている。そして、最下層の表面シート２には、残数「１」が表示されている残数表示部４が設けられている。なお、この残数表示部４は、樹脂フィルム上に貼り付けられた円形タグシールである。また、この掴み代部３は、積層された他の表面シート２の掴み代部３とは互いに接着されておらず、個別に掴み易くなっている。
【００２０】
このように本実施形態では、皿表面に剥離可能な複数の表面シート２が貼り付けられているので、新たに食品を盛る際に、先に盛った食品のタレやカスが残った最上層の表面シート２を剥がすことで、きれいで清潔な次層の表面シート２又は皿本体１の表面が露出し、この上に新たな食品を盛ることができる。すなわち、少なくとも表面シート２の積層枚数分だけ、新たな皿表面を提供することが可能になる。また、一度の食事で、全表面シート２を使い切らずに表面シート２が残った場合、次の食事等の機会に、再びきれいで清潔な皿表面で再使用することができ、皿本体１の状態が良ければ、最後の表面シート２を使い切るまで何度でも使用することも可能である。
【００２１】
また、本実施形態の使い捨て皿では、表面シート２に掴み代部３が形成されているので、皿本体１の外縁部からはみ出ている掴み代部３を掴むことで、表面シート２を容易に剥がすことができる。さらに、各表面シート２の残数表示部４に、積層順に表面シート２の残数番号が表示されているので、残っている表面シート２の数を容易に把握することができる。
【００２２】
また、表面シート２同士の接着と表面シート２と皿本体１との接着は、化学物質を含む工業用の接着剤等を用いずに、自然材料から得られる寒天又はゼラチンで行われているので、表面シート２を剥がした後の皿表面に接着用の寒天又はゼラチンが残っていても、人体への影響がない。
さらに、本実施形態の使い捨て皿では、紙製の皿本体１と、ビニール製の表面シート２と、で構成されているので、安価でかつ大量生産が容易である。
【００２３】
次に、本発明に係る使い捨て皿の第２実施形態及び第３実施形態について、図４から図６を参照して以下に説明する。なお、以下の各実施形態の説明において、上記実施形態において説明した同一の構成要素には同一の符号を付し、その説明は省略する。
【００２４】
第２実施形態と第１実施形態との異なる点は、第１実施形態では、各表面シート２の掴み代部３がそれぞれ同じ位置に配されているのに対し、第２実施形態では、図４に示すように、掴み代部３が、複数の表面シート２毎に周方向にずれている点である。すなわち、第２実施系形態では、掴み代部３を上層から順に時計回りの周方向に少しずつずらした状態で、各表面シート２を積層して貼り付けている。
このように、第２実施形態では、各表面シート２の掴み代部３が、互いに周方向にずれているので、表面シート２を一枚一枚容易に掴むことが可能になり、剥離作業がさらに容易になる。
【００２５】
第３実施形態と第２実施形態との異なる点は、第２実施形態では、各掴み代部３が周方向にずれて配されているのに対し、第３実施形態では、図５及び図６に示すように、上層の表面シート３２ほど、大径に設定することで、上層の掴み代部３３ほど、半径方向外方にはみ出してずれている点である。すなわち、第３実施形態では、半径方向外方にはみ出した表面シート３２の周方向全体が掴み代部３３となることから、周方向のどの部分を掴んでも容易に表面シート３２を剥がすことができる。
【００２６】
なお、本発明の技術範囲は上記実施形態に限定されるものではなく、本発明の趣旨を逸脱しない範囲において種々の変更を加えることが可能である。
【００２７】
例えば、上記各実施形態の使い捨て皿において、表面シート２、３２毎に、それぞれ異なる色、模様又は絵を表示させても構わない。この場合、表面シート２、３２を剥がす度に、皿表面に異なる色、模様又は絵を表示させることができ、多様な装飾効果を得ることができる。
また、上記各実施形態の使い捨て皿は、浅底の皿形状のものを採用しているが、より深い皿形状のものや仕切り等が設けられた皿形状に適用しても構わない。
【００２８】
さらに、上記各実施形態の使い捨て皿では、樹脂フィルム製の表面シート２、３２を用いているが、他の材料で表面シートを作製しても構わない。特に、紙製の表面シートを用いることで、皿本体１及び表面シートの両方が、同じ紙製であるため、安価でかつ大量生産が容易であると共に、全て燃焼ゴミにでき、廃棄する際に分別の必要がない利点がある。この場合、この紙製の表面シートに、耐水性及び耐油性加工を施すことで、下層の表面シートに食品のタレや油が浸み込むことを防止することができる。
【００２９】
上記各実施形態では、各表面シート２、３２同士の接着を寒天又はゼラチンで行っているが、樹脂フィルムである表面シート２、３２同士を局所的に熱圧着することで、互いに剥離可能に接着しても構わない。この場合、寒天又はゼラチン等の接着材料が不要になる利点がある。
また、皿本体１は、上述したように、安価で廃棄処理が容易な紙製が好ましいが、他の材料で形成しても構わない。例えば、合板等の木製の皿本体としても構わない。また、皿本体として、安価な発泡プラスチック製や環境的に好ましい生分解性プラスチック（土中の微生物によって分解可能なプラスチック）製のものを使用しても構わない。
また、上記各実施形態では、表面シート２、３２を３枚積層しているが、表面シート２、３２を２枚積層又は４枚以上積層しても構わない。
【図面の簡単な説明】
【００３０】
【図１】本発明に係る第１実施形態の使い捨て皿を示す平面図である。
【図２】図１のＡ−Ａ線矢視断面図である。
【図３】本発明に係る第１実施形態の使い捨て皿を示す断面図である。
【図４】本発明に係る第２実施形態の使い捨て皿を示す平面図である。
【図５】本発明に係る第３実施形態の使い捨て皿を示す平面図である。
【図６】図５のＢ−Ｂ線矢視断面図である。
【符号の説明】
【００３１】
１…皿本体、２、３２…表面シート、３、３３…掴み代部、４…残数表示部
【図１】
2006239178.tif 000003
【図２】
2006239178.tif 000004
【図３】
2006239178.tif 000005
【図４】
2006239178.tif 000006
【図５】
2006239178.tif 000007
【図６】
2006239178.tif 000008